(57)【要約】  本発明は、電子コネクタ（１０５）と、フレキシブルプリント回路（１１０）と、静止プリント回路基板（１２０）を備える構造体（１１５）とを備える、電子デバイスを想定し：電子コネクタ（１０５）は、上記構造体（１１５）に対して、第１の枢動軸（１２５）及び第２の枢動軸（１３０）に従って回転し、フレキシブルプリント回路（１１０）は、電子コネクタ（１０５）及び静止プリント回路基板（１２０）に固定され、電子コネクタ（１０５）と静止プリント回路基板（１２０）との間で電流を伝達し、電子コネクタ（１０５）が構造体（１１５）に対して第１の枢動軸（１２５）に従って回転する際に動く、第１の部分的に円形の屈曲部（１３５）を備え、電子コネクタ（１０５）が構造体（１１５）に対して第２の枢動軸（１３０）に従って回転する際に動く、第２の部分的に円形の屈曲部（１４０）を備える。【選択図】図１
2018526766.tif 000002
【特許請求の範囲】
【請求項１】
電子コネクタと、フレキシブルプリント回路と、静止プリント回路基板を備える構造体とを備える、電子デバイスであって：
前記電子コネクタは、前記構造体に対して、第１の枢動軸及び第２の枢動軸に従って回転し、
前記フレキシブルプリント回路は、
前記電子コネクタ及び前記静止プリント回路基板に固定され、
前記電子コネクタと前記静止プリント回路基板との間で電流を伝達し、
前記電子コネクタが前記構造体に対して前記第１の枢動軸に従って回転する際に動く、第１の部分的に円形の屈曲部を備え、
前記電子コネクタが前記構造体に対して前記第２の枢動軸に従って回転する際に動く、第２の部分的に円形の屈曲部を備える、電子デバイス。
【請求項２】
少なくとも１つの前記部分的に円形の屈曲部は、少なくとも半円からなる、請求項１に記載の電子デバイス。
【請求項３】
前記第１の枢動軸及び前記第２の枢動軸は同一平面にある、請求項１又は２に記載の電子デバイス。
【請求項４】
前記電子デバイスは、前記構造体に対して前記第２の枢動軸に従って回転する旋回キャリッジモジュールを備え、
前記電子コネクタは、前記旋回キャリッジモジュールに対して前記第１の枢動軸に従って回転する、請求項１〜３のいずれか１項に記載の電子デバイス。
【請求項５】
前記旋回キャリッジモジュールは、少なくとも１つの前記部分的に円形の屈曲部の運動をガイドする、少なくとも１つの部分的に円形の突出部を備える、請求項４に記載の電子デバイス。
【請求項６】
前記部分的に円形の突出部は、前記部分的に円形の屈曲部と接触する、請求項５に記載の電子デバイス。
【請求項７】
前記円形の突出部の円弧の長さは、前記構造体に対する前記電子コネクタの回転範囲に対応する、請求項５又は６に記載の電子デバイス。
【請求項８】
前記フレキシブルプリント回路は、第１の前記部分的に円形の屈曲部と第２の前記部分的に円形の屈曲部との間で前記旋回キャリッジモジュールに固定される、請求項１〜７のいずれか１項に記載の電子デバイス。
【発明の詳細な説明】
【技術分野】
【０００１】
本発明は、電子コネクタ、フレキシブルプリント回路、構造体を備える電子デバイスに関する。
【０００２】
本発明は、より詳細にはフレキシブルプリント回路の分野に関連し、より詳細には２つの枢動軸に従って回転するデバイスの２つの部品間のフレキシブルプリント回路に関連する。
【背景技術】
【０００３】
互いに対して運動する２つのデバイス間に電子接続を実装するとき、上記電子接続は、上記デバイスの運動全体にわたって維持されなければならない。従来技術では、２つのデバイス上に接続された電気ケーブルが通常存在し、上記２つのデバイスは、上記ケーブルの運動に追従して屈曲し捻れる。例えばこのようなケーブルは、回転軸上に巻き付けられており、一方のデバイスが他方に対して回転する際に解ける。しかしながら、このようなシステムは詰まってしまう場合があり、又は上記ケーブルが、上記ケーブルの内側に見られるワイヤに損傷を与える角度に捻れる可能性があり、システムが損傷する可能性がある。また、上記デバイスに対する上記ケーブルの位置を予測する方法がなく、上記ケーブルが上記デバイスの機構に詰まって、上記機構及び上記ケーブルが損傷し、電子接続がもはや確立されなくなる可能性がある。
【発明の概要】
【発明が解決しようとする課題】
【０００４】
本発明は、従来技術の解決策に存在する上述の欠点を解決することを目的とする。特に本発明は、電子コネクタ、フレキシブルプリント回路、構造体を備える電子デバイスに関し、上記フレキシブルプリント回路は、２つの回転自由度を有し、これにより、上記電子コネクタが第１の枢動軸又は第２の枢動軸の周りで回転する間、この構造体の上記電子コネクタとプリント回路基板との間の電子接続が維持される。
【課題を解決するための手段】
【０００５】
この目的のために、第１の態様によると、本発明は、電子コネクタと、フレキシブルプリント回路と、静止プリント回路基板を備える構造体とを備える電子デバイスを想定し：
上記電子コネクタは、上記構造体に対して、第１の枢動軸及び第２の枢動軸に従って回転し、
上記フレキシブルプリント回路は、
上記電子コネクタ及び上記静止プリント回路基板に固定され、
上記電子コネクタと上記静止プリント回路基板との間で電流を伝達し、
上記電子コネクタが上記構造体に対して上記第１の枢動軸に従って回転する際に動く、第１の部分的に円形の屈曲部を備え、
上記電子コネクタが上記構造体に対して上記第２の枢動軸に従って回転する際に動く、第２の部分的に円形の屈曲部を備える。
【０００６】
このような電子デバイスにより、上記電子コネクタの、上記構造体に対する、上記第１の枢動軸及び上記第２の枢動軸に従った回転が可能となる。更に、上記フレキシブルプリント回路上の電気トレースは、上記電子コネクタの上記回転により応力を受けない。また、上記フレキシブルプリント回路の上記部分的に円形の屈曲部及び厚さは、上記フレキシブルプリント回路の捩れ、及び上記電子デバイスの上記機構の詰まりを回避する。
【０００７】
特定の実施形態によると、少なくとも１つの上記部分的に円形の屈曲部は、少なくとも半円からなる。
【０００８】
半円により、上記フレキシブルプリント回路をより小型化でき、上記フレキシブルプリント回路の２つの部品を、接触させずに、互いに対して平行とすることができる。
【０００９】
特定の実施形態によると、上記第１の枢動軸及び上記第２の枢動軸は同一平面にある。
【００１０】
この実施形態の利点は、上記構造体と上記電子コネクタとの間の２つの回転自由度が可能となることである。
【００１１】
特定の実施形態によると、本発明の主題である上記電子デバイスは、上記構造体に対して上記第２の枢動軸に従って回転する旋回キャリッジモジュールを備え、上記電子コネクタは、上記旋回キャリッジモジュールに対して上記第１の枢動軸に従って回転する。
【００１２】
上記旋回キャリッジモジュールは、上記構造体に対する、上記第１の枢動軸及び上記第２の枢動軸に従った上記電子コネクタの回転を容易にする。
【００１３】
特定の実施形態によると、上記旋回キャリッジモジュールは、少なくとも１つの上記部分的に円形の屈曲部の運動をガイドする、少なくとも１つの部分的に円形の突出部を備える。
【００１４】
上記部分的に円形の突出部は、上記部分的に円形の屈曲部を、所定の進路に従って動的にガイドする。部分的に円形の屈曲部の運動は、所定の進路内に維持される。
【００１５】
特定の実施形態によると、部分的に円形の突出部は、部分的に円形の屈曲部と接触する。
【００１６】
これらの実施形態では、上記部分的に円形の屈曲部の上記運動は、上記電子コネクタが上記構造体に対して上記第１の枢動軸に従って回転する際の、上記部分的に円形の屈曲部の半径の修正である。
【００１７】
上記部分的に円形の屈曲部は、上記電子コネクタが上記構造体に対して上記第１の枢動軸に従って回転すると、巻き付いたり解けたりする。このような実施形態は、部分的に円形の屈曲部の円の中心が枢動軸上に位置する場合に特に有用である。
【００１８】
特定の実施形態によると、円形の突出部の円弧の長さは、上記構造体に対する上記電子コネクタの回転範囲に対応する。
【００１９】
このような実施形態の利点は、上記部分的に円形の屈曲部を画定する軸が枢動軸に対して平行となるときに、上記部分的に円形の屈曲部の運動に進路を提供することである。
【００２０】
このような実施形態により、上記フレキシブルプリント回路は、上記部分的に円形の屈曲部が運動するのに十分に可撓性となり、かつ上記フレキシブルプリント回路を上記電子デバイス上に組み付けるのに十分に剛性となることができる。
【００２１】
特定の実施形態によると、上記フレキシブルプリント回路は、第１の上記部分的に円形の屈曲部と第２の上記部分的に円形の屈曲部との間で上記旋回キャリッジモジュールに固定される。
【００２２】
このような実施形態の利点は、上記第１の部分的に円形の屈曲部の運動が上記第２の部分的に円形の屈曲部の運動から分離していることである。
【００２３】
本発明の主題である他の利点、目的、特定の実施形態は、添付書類に含まれる図面を参照しながら非限定的な例として作成された以下の記載から明らかとなるであろう。
【図面の簡単な説明】
【００２４】
【図１】図１は、電子コネクタが格納位置にある、本発明の主題である電子デバイスの第１の特定の実施形態の概略側部断面図である。
【図２】図２は、電子コネクタが第１の枢動軸に従った回転後の展開位置にある、本発明の主題である電子デバイスの第１の特定の実施形態の概略側部断面図である。
【図３】図３は、電子コネクタが第１の枢動軸に従った更なる距離の回転後の展開位置にある、本発明の主題である電子デバイスの第１の特定の実施形態の概略側部断面図である。
【図４】図４は、電子コネクタが図２の展開位置にある、本発明の主題である電子デバイスの第１の特定の実施形態の概略底部断面図である。
【図５】図５は、電子コネクタが第２の枢動軸に従った回転後の図２の展開位置にある、本発明の主題である電子デバイスの第１の特定の実施形態の概略底部断面図である。
【図６】図６は、電子コネクタが第２の枢動軸に従った別の回転後の図２の展開位置にある、本発明の主題である電子デバイスの第１の特定の実施形態の概略底部断面図である。
【図７】図７は、本発明の主題である電子デバイスのフレキシブルプリント回路の第１の特定の実施形態の概略斜視図である。
【発明を実施するための形態】
【００２５】
図面は、縮尺が正確ではないことを理解されたい。
【００２６】
明細書を通して、用語「電子デバイス（ｅｌｅｃｔｒｏｎｉｃ  ｄｅｖｉｃｅ）」は、これを通して情報を交換できるいずれの電子デバイス、例えばスマートフォン、タブレット、デジタルカメラ又はモバイルスピーカ等を指す。
【００２７】
図１〜６では、フレキシブルプリント回路１１０の実施形態が太線で示されている。
【００２８】
図１は、本発明の主題である電子デバイス１０の第１の特定の実施形態を示す。
【００２９】
電子デバイス１０は、電子コネクタ１０５を備える。電子コネクタ１０５は、メス型電子コネクタ又はオス型電子コネクタであってよい。好ましくは、電子コネクタ１０５はオス型電子コネクタである。電子コネクタ１０５は：
−ＵＳＢ（ユニバーサルシリアバス）コネクタ、
−マイクロＵＳＢコネクタ、
−Ｌｉｇｈｔｎｉｎｇコネクタ（Ａｐｐｌｅ  Ｉｎｃ．による登録商標）、又は
−いずれの種類の電子コネクタ
であってよい。
【００３０】
電子コネクタ１０５により、電子デバイス１０から、対応する電子コネクタ１０５を備える別の電子デバイスへの、電流の伝達が可能となる。電子コネクタ１０５は、構造体に対して、第１の枢動軸１２５及び第２の枢動軸１３０に従って回転する。上記電子コネクタはフレームを備えることができ、上記フレームは、構造体１１５に対して組み付けられた、第１の枢動軸１２５及び第２の枢動軸１３０に対応する要素を備える。
【００３１】
第１の枢動軸１２５及び第２の枢動軸１３０は好ましくは、同一平面にある。特定の実施形態では、第１の枢動軸１２５及び第２の枢動軸１３０は、垂直である。（図示していない）別の実施形態では、第１の枢動軸１２５及び第２の枢動軸１３０は、平行である。
【００３２】
好ましくは、第１の枢動軸１２５に従った構造体１１５に対する電子コネクタ１０５の回転範囲は、１３０°超である。更に、第２の枢動軸１３０に従った構造体１１５に対する電子コネクタ１０５の回転範囲は、１１０°超である。
【００３３】
第１の枢動軸１２５及び第２の枢動軸１３０は、回転継手を作製するための当業者に公知のデバイスを用いて作製される。例えば、直円柱状突出部を同様の直径を有する直円柱状凹部に挿入することにより作製される。
【００３４】
電子デバイス１０は、静止プリント回路基板１２０を備える構造体１１５を備える。構造体１１５は、基準と見做され、図１〜６の以下の説明では静止している。静止プリント回路基板１２０は、構造体１１５に固定される。プリント回路基板１２０（又は「ＰＣＢ」）は、電子構成部品を機械的に支持し、また導電性トラック、パッド、非導電性基板上にラミネートされた銅板からエッチングされる他の特徴部分を用いて、上記電子構成部品を電気的に接続する。プリント回路基板１２０は平面によって画定される。
【００３５】
電子デバイス１０は、フレキシブルプリント回路１１０を備える。フレキシブルプリント回路１１０は、端部１８０において電子コネクタ１０５に、及び端部１７５において静止プリント回路基板１２０に固定される。フレキシブルプリント回路１１０は、電子コネクタ１０５と静止プリント回路基板１２０との間で電流を伝達する。電流は、電子コネクタ１０５を介して電子デバイス１０から別の電子デバイスへ転送されるデータの代表例である。
【００３６】
フレキシブルプリント回路１１０の幅は、フレキシブルプリント回路１１０の高さより少なくとも５倍大きく、リボンも同様である。フレキシブルプリント回路１１０の長さは、フレキシブルプリント回路１１０が平らに置かれた場合の、フレキシブルプリント回路１１０の電子コネクタ１０５に固定された端部と、プリント回路基板１２０に固定された端部との間の距離である。部分的に円形の屈曲部１３５又は１４０は、上記部分的に円形の屈曲部を画定する円の中心を含む電子コネクタ１０５の幅に対して平行な軸の周りでの、フレキシブルプリント回路１１０のたわみである。
【００３７】
フレキシブルプリント回路１１０は、電子コネクタ１０５が構造体１１５に対して第１の枢動軸１２５に従って回転する際に運動する、第１の部分的に円形の屈曲部１３５を備える。第１の部分的に円形の屈曲部１３５の運動は、構造体１１５に対する電子コネクタ１０５の回転によるものである。
【００３８】
フレキシブルプリント回路１１０は好ましくは、非伸張性材料製である。第１の部分的に円形の屈曲部１３５は、プリント回路１１０の材料と、フレキシブルプリント回路１１０が回転する電子コネクタ１０５及び静止プリント回路基板１２０上に固定されるという事実とによるものである。第１の部分的に円形の屈曲部１３５の運動は、フレキシブルプリント回路１１０自体のたわみである。
【００３９】
好ましくは、第１の部分的に円形の屈曲部１３５の運動は、フレキシブルプリント回路１１０に対する第１の部分的に円形の屈曲部１３５の位置の偏移であり、第１の部分的に円形の屈曲部１３５は、上記運動中を通して同一の半径を維持する。フレキシブルプリント回路１１０における第１の部分的に円形の屈曲部１３５の位置は、電子コネクタ１０５が第１の枢動軸１２５に従って回転するときの、上記構造体に対する電子コネクタ１０５の位置に左右される。他の実施形態では、第１の部分的に円形の屈曲部１３５の運動は、第１の部分的に円形の屈曲部１３５の半径の低減又は増大である。
【００４０】
好ましくは、第１の部分的に円形の屈曲部１３５がその周りでたわむ軸は、第１の枢動軸１２５に対して平行である。
【００４１】
フレキシブルプリント回路１１０は、電子コネクタ１０５が構造体１１５に対して第２の枢動軸１３０に従って回転するときに運動する、第２の部分的に円形の屈曲部１４０を備える。第２の部分的に円形の屈曲部１４０の運動は、上記構造体１１５に対する電子コネクタ１０５の回転によるものである。
【００４２】
第２の部分的に円形の屈曲部１４０は、プリント回路１１０の材料と、フレキシブルプリント回路１１０が回転する電子コネクタ１０５及び静止プリント回路基板１２０上に固定されるという事実とによるものである。第２の部分的に円形の屈曲部１４０の運動は、フレキシブルプリント回路１１０自体のたわみである。
【００４３】
好ましくは、第２の部分的に円形の屈曲部１４０の運動は、フレキシブルプリント回路１１０に対する第２の部分的に円形の屈曲部１４０の位置の偏移であり、第２の部分的に円形の屈曲部１４０は、上記運動中を通して同一の半径を維持する。フレキシブルプリント回路１１０における第２の部分的に円形の屈曲部１４０の位置は、電子コネクタ１０５が第２の枢動軸１３０に従って回転するときの、上記構造体に対する電子コネクタ１０５の位置に左右される。他の実施形態では、第２の部分的に円形の屈曲部１４０の運動は、第２の部分的に円形の屈曲部１４０の半径の低減又は増大である。
【００４４】
好ましくは、第２の部分的に円形の屈曲部１４０がその周りでたわむ軸は、第２の枢動軸１３０に対して平行である。
【００４５】
好ましくは、少なくとも１つの部分的に円形の屈曲部１３５及び／又は１４０は少なくとも半円を含む。
【００４６】
電子デバイス１０は、第２の枢動軸１３０に従って構造体１１５に対して回転する、旋回キャリッジモジュール１４５を備える。電子コネクタ１０５は、旋回キャリッジモジュール１４５に対して第１の枢動軸１２５に従って回転する。
【００４７】
旋回キャリッジモジュール１４５は好ましくは、第１の枢動軸１２５の円形表面に挿入された円形外側表面を備える。旋回キャリッジモジュール１４５の上記円形外側表面の半径は、第１の枢動軸１２５の円形表面の半径と同様である。旋回キャリッジモジュール１４５の上記円形外側表面は、第１の枢動軸１２５の円形表面に挿入され、回転継手を形成する。
【００４８】
旋回キャリッジモジュール１４５は、少なくとも１つの部分的に円形の屈曲部１３５及び／又は１４０の運動をガイドする、少なくとも１つの部分的に円形の突出部１５０、１５５及び／又は１６０を備える。
【００４９】
旋回キャリッジモジュール１４５は、第１の部分的に円形の屈曲部１３５の運動をガイドする、第１の部分的に円形の突出部１５０を備える。第１の部分的に円形の突出部１５０は、部分的に円形の屈曲部１３５がどのような位置にあっても、第１の部分的に円形の屈曲部１３５と接触する。第１の部分的に円形の突出部１５０の円弧の長さは、第１の枢動軸１２５に従った構造体１１５に対する電子コネクタ１０５の回転範囲に対応する。
【００５０】
第１の部分的に円形の突出部１５０を画定する円は、第１の枢動軸１２５に対して垂直な平面内に含まれる。上記平面は、第１の部分的に円形の突出部１５０と第１の部分的に円形の屈曲部１３５との間に、フレキシブルプリント回路１１０の接触表面１６５を備える。第１の部分的に円形の突出部１５０の直径は、上記平面内での、第１の枢動軸１２５と、第１の部分的に円形の突出部１５０と第１の部分的に円形の屈曲部１３５との間の接触表面１６５との間の距離である。
【００５１】
旋回キャリッジモジュール１４５は、第２の部分的に円形の屈曲部１４０の運動をガイドする、第２の部分的に円形の突出部１５５を備える。第２の部分的に円形の突出部１５５は、部分的に円形の屈曲部１４０がどのような位置にあっても、第２の部分的に円形の屈曲部１４０と接触する。第２の部分的に円形の突出部１５５の円弧の長さは、第２の枢動軸１３０に従った構造体１１５に対する電子コネクタ１０５の回転範囲に対応する。
【００５２】
第２の部分的に円形の突出部１５５を画定する円は、第２の枢動軸１３０に対して垂直な平面内に含まれる。上記平面は、第２の部分的に円形の突出部１５５と第２の部分的に円形の屈曲部１４０との間にフレキシブルプリント回路１１０の接触表面２００を備える。第２の部分的に円形の突出部１５５の直径は、上記平面内での、第２の枢動軸１３０と、第２の部分的に円形の突出部１５５と第２の部分的に円形の屈曲部１４０との間の接触表面２００との間の距離である。
【００５３】
構造体１１５は、第２の部分的に円形の屈曲部１４０の運動をガイドする、第３の部分的に円形の突出部１６０を備えることができる。第３の部分的に円形の突出部１６０は、部分的に円形の屈曲部１４０がどのような位置にあっても、第２の部分的に円形の屈曲部１４０と接触する。第３の部分的に円形の突出部１６０の円弧の長さは、第２の枢動軸１３０に従った構造体１１５に対する電子コネクタ１０５の回転範囲に対応する。
【００５４】
第３の部分的に円形の突出部１６０を画定する円は、第２の枢動軸１３０に対して垂直な平面内に含まれる。上記平面は、第３の部分的に円形の突出部１６０と第２の部分的に円形の屈曲部１４０との間に接触表面１９５を備える。第３の部分的に円形の突出部１６０の直径は、上記平面内での、第２の枢動軸１３０と、第３の円形の突出部１６０と第２の部分的に円形の屈曲部１４０との間の接触表面１９５との間の距離である。第３の部分的に円形の突出部１６０を画定する上記円は、第２の枢動軸１３０に対して垂直な平面内で第２の部分的に円形の突出部１５５を画定する上記円に対して平行である。
【００５５】
好ましくは、第２の部分的に円形の屈曲部１４０と第２の部分的に円形の突出部１５５との間の接触は、第２の枢動軸１２５に対して垂直な平面内の、第２の枢動軸１２５に最も近接した、第２の部分的に円形の突出部１５５の部分的に円形の表面上で起こる。第２の部分的に円形の屈曲部１４０と第３の部分的に円形の突出部１６０との間の接触は、第２の枢動軸１２５に対して垂直な平面内の、第２の枢動軸１２５から最も離れた、第３の部分的に円形の突出部１６０の部分的に円形の表面上で起こる。第２の部分的に円形の屈曲部１４０は、第２の部分的に円形の突出部１５５と第３の部分的に円形の突出部１６０との間に制限される。
【００５６】
フレキシブルプリント回路１１０は、接触表面２００上の接着剤で、第２の部分的に円形の突出部１５５に固定できる。この固定部は、フレキシブルプリント回路１１０上の第２の部分的に円形の屈曲部１４０の運動範囲外である。フレキシブルプリント回路１１０は、接触表面１９５上の接着剤で、第３の部分的に円形の突出部１６０に固定できる。この固定部は、フレキシブルプリント回路１１０上の第２の部分的に円形の屈曲部１４０の運動範囲外である。
【００５７】
第１の枢動軸１２５が第２の枢動軸１３０に対して垂直である好ましい実施形態では、フレキシブルプリント回路１１０は、フレキシブルプリント回路１１０上の第１の部分的に円形の屈曲部１３５の運動範囲と第２の部分的に円形の屈曲部１４０の運動範囲との間に、少なくとも１つの垂直な折り目を備える。
【００５８】
フレキシブルプリント回路１１０は、フレキシブルプリント回路１１０上の第１の部分的に円形の屈曲部１３５の運動範囲と、第２の部分的に円形の屈曲部１４０の運動範囲との間に、第１の垂直な折り目１９０を備える。フレキシブルプリント回路１１０は、フレキシブルプリント回路１１０上の第２の部分的に円形の屈曲部１４０の運動範囲と、プリント回路基板１２０に固定されたフレキシブルプリント回路１１０の端部１７５との間に、第２の垂直な折り目１８５を備える。
【００５９】
好ましくは、第１の部分的に円形の屈曲部１３５及び第２の部分的に円形の屈曲部１４０の独立した運動を提供するために、フレキシブルプリント回路１１０は、第１の部分的に円形の屈曲部１３５と第２の部分的に円形の屈曲部１４０との間で、旋回キャリッジモジュール１４５に固定される。旋回キャリッジモジュール１４５に対するフレキシブルプリント回路１１０の固定表面１６５は、フレキシブルプリント回路１１０上の第１の部分的に円形の屈曲部１３５の運動範囲と第２の部分的に円形の屈曲部１４０の運動範囲との間にある。
【００６０】
図２は、電子コネクタ１０５が第１の枢動軸１２５に従った回転後の展開位置にある、電子デバイス１０の第１の特定の実施形態を示す。
【００６１】
図２では、電子コネクタ１０５は、図１と比較して、第１の枢動軸に従って反時計回りに回転した。第２の部分的に円形の屈曲部１４０の位置は、図１と比較して変化しないまま維持される。
【００６２】
電子コネクタ１０５の回転は、電子コネクタ１０５に固定されたフレキシブルプリント回路１１０の端部を動かす。第１の部分的に円形の屈曲部１３５は、第１の部分的に円形の突出部１５０上に向かってたわむ。第１の部分的に円形の屈曲部１３５と第１の部分的に円形の突出部１５０との間の接触点は、部分的に円形の突出部１５０を反時計回りにたどる。部分的に円形の屈曲部１３５の元の位置の複数の部分は、第１の部分的に円形の突出部１５０と接触する。部分的に円形の屈曲部１３５の元の位置の複数の部分と第１の部分的に円形の突出部１５０との間の接触は、フレキシブルプリント回路１１０の材料の剛性により維持される。第１の部分的に円形の屈曲部１３５の半径は変化しない。
【００６３】
図３は、電子コネクタ１０５が第１の枢動軸１２５に従った更なる距離の回転後の展開位置にある、電子デバイス１０の第１の特定の実施形態を示す。
【００６４】
図３では、電子コネクタ１０５は、図２と比較して、第１の枢動軸に従って反時計回りに回転した。第２の部分的に円形の屈曲部１４０の位置は、図２と比較して変化しないまま維持される。
【００６５】
電子コネクタ１０５の回転は、電子コネクタ１０５に固定されたフレキシブルプリント回路１１０の端部を動かす。第１の部分的に円形の屈曲部１３５は、第１の部分的に円形の突出部１５０上に向かってたわむ。第１の部分的に円形の屈曲部１３５と第１の部分的に円形の突出部１５０との間の接触点は、部分的に円形の突出部１５０を反時計回りにたどる。部分的に円形の屈曲部１３５の元の位置の複数の部分は、第１の部分的に円形の突出部１５０と接触する。部分的に円形の屈曲部１３５の元の位置の複数の部分と第１の部分的に円形の突出部１５０との間の接触は、フレキシブルプリント回路１１０の材料の剛性により維持される。第１の部分的に円形の屈曲部１３５の半径は変化しない。
【００６６】
図４は、電子コネクタ１０５が図２の展開位置にある、本発明の主題である電子デバイス１０の第１の特定の実施形態を示す。
【００６７】
フレキシブルプリント回路１１０は、第２の部分的に円形の突出部１５５と第３の部分的に円形の突出部１６０との間に、第２の部分的に円形の屈曲部１４０を備える。
【００６８】
第１の枢動軸１２５が第２の枢動軸１３０に対して垂直である好ましい実施形態では、フレキシブルプリント回路１１０は、フレキシブルプリント回路１１０上の第２の部分的に円形の屈曲部１４０の運動範囲とプリント回路基板１２０に対するフレキシブルプリント回路１１０の固定部との間に、第１の垂直な折り目１９０を備える。フレキシブルプリント回路１１０は、固定部１９５の表面上の接着剤で、第３の部分的に円形の突出部１６０に固定される。この固定部は、フレキシブルプリント回路１１０上の第２の部分的に円形の屈曲部１４０の運動範囲外である。フレキシブルプリント回路１１０は、固定表面２００上の接着剤で、第２の部分的に円形の突出部１５５に固定される。この固定部は、フレキシブルプリント回路１１０上の第２の部分的に円形の屈曲部１４０の運動範囲外である。
【００６９】
図５は、電子コネクタ１０５が第１の枢動軸１２５に従った回転及び第２の枢動軸１３０に従った回転後の展開位置にある、電子デバイス１０の第１の特定の実施形態を示す。
【００７０】
図５では、電子コネクタ１０５は、図４と比較して第２の枢動軸１３０に従って反時計回りに回転した。第１の部分的に円形の屈曲部１３５の位置は、図２と比較して変化しないまま維持される。
【００７１】
電子コネクタ１０５の回転は、プリント回路基板１２０に固定されたフレキシブルプリント回路１１０の端部を動かす。第２の部分的に円形の屈曲部１４０は、第２の部分的に円形の突出部１５５上及び第３の部分的に円形の突出部１６０上に向かってたわむ。第２の部分的に円形の屈曲部１４０と第２の部分的に円形の突出部１５５との間の接触点は、第２の部分的に円形の突出部１５５を反時計回りにたどる。第２の部分的に円形の屈曲部１４０と第３の部分的に円形の突出部１６０との間の接触点は、第３の部分的に円形の突出部１６０を反時計回りにたどる。
【００７２】
第２の部分的に円形の屈曲部１４０の元の位置の複数の部分は、第２の部分的に円形の突出部１５５と接触する。第２の部分的に円形の屈曲部１４０の元の位置の複数の部分と第２の部分的に円形の突出部１５５との間の接触は、フレキシブルプリント回路１１０の材料の剛性により維持される。第２の部分的に円形の屈曲部１４０の半径は変化しないまま維持される。
【００７３】
第２の部分的に円形の屈曲部１４０の元の位置の複数の部分は、第３の部分的に円形の突出部１６０と接触する。第２の部分的に円形の屈曲部１４０の元の位置の複数の部分と第３の部分的に円形の突出部１６０との間の接触は、フレキシブルプリント回路１１０の材料の剛性により維持される。
【００７４】
図６は、電子コネクタ１０５が第１の枢動軸１２５に従った回転及び第２の枢動軸１３０に従った回転後の展開位置にある、電子デバイス１０の第１の特定の実施形態を示す。
【００７５】
図６では、電子コネクタ１０５は、図４と比較して第２の枢動軸１３０に従って時計回りに回転した。第１の部分的に円形の屈曲部１３５の位置は、図２と比較して変化しないまま維持される。
【００７６】
電子コネクタ１０５の回転は、プリント回路基板１２０に固定されたフレキシブルプリント回路１１０の端部を動かす。第２の部分的に円形の屈曲部１４０は、第２の部分的に円形の突出部１５５上及び第３の部分的に円形の突出部１６０上に向かってたわむ。第２の部分的に円形の屈曲部１４０と第２の部分的に円形の突出部１５５との間の接触点は、第２の部分的に円形の突出部１５５を時計回りにたどる。第２の部分的に円形の屈曲部１４０と第３の部分的に円形の突出部１６０との間の接触点は、第３の部分的に円形の突出部１６０を時計回りにたどる。
【００７７】
第２の部分的に円形の屈曲部１４０の元の位置の複数の部分は、第２の部分的に円形の突出部１５５と接触する。第２の部分的に円形の屈曲部１４０の元の位置の複数の部分と第２の部分的に円形の突出部１５５との間の接触は、フレキシブルプリント回路１１０の材料の剛性により維持される。第２の部分的に円形の屈曲部１４０の半径は変化しないまま維持される。
【００７８】
第２の部分的に円形の屈曲部１４０の元の位置の複数の部分は、第３の部分的に円形の突出部１６０と接触する。第２の部分的に円形の屈曲部１４０の元の位置の複数の部分と第３の部分的に円形の突出部１６０との間の接触は、フレキシブルプリント回路１１０の材料の剛性により維持される。
【００７９】
図７は、電子デバイス１０のフレキシブルプリント回路１１０の第１の特定の実施形態を示す。
【００８０】
図７のフレキシブルプリント回路１１０は、図２、４に示した構造体１１５に対する電子コネクタ１０５の位置において示されている。
【００８１】
図１の説明中に記載したように、フレキシブルプリント回路１１０は、第１の部分的に円形の屈曲部１３５及び第２の部分的に円形の屈曲部１４０を備える。
【００８２】
フレキシブルプリント回路１１０は、フレキシブルプリント回路１１０の端部１７５によって、プリント回路基板１２０に固定される。フレキシブルプリント回路１１０は、端部１７５から第２の垂直な折り目１８５までの伸長部１７０を備える。伸長部１７０は、プリント回路基板１２０の平面に対して平行な平面内にある。
【００８３】
第２の垂直な折り目１８５は、伸長部１７０と、第３の部分的に円形の突出部１６０に対するフレキシブルプリント回路１１０の固定表面１９５との間にある。固定表面１９５は、フレキシブルプリント回路１１０の高さに対して平行な軸に従って、端部１７５から離れる方向へと四分円を形成する。固定表面１９５は、第２の部分的に円形の屈曲部１４０の運動範囲及び第２の垂直な折り目１８５に結合される。固定表面１９５は、第３の部分的に円形の突出部１６０に対するフレキシブルプリント回路１１０の固定表面である。
【００８４】
固定表面２００は、フレキシブルプリント回路１１０の高さに対して平行な軸に従って、端部１８０に向かう方向へと四分円を形成する。固定表面２００は、第２の部分的に円形の突出部１５５に対するフレキシブルプリント回路１１０の固定表面である。固定表面２００は、第２の部分的に円形の屈曲部１４０の運動範囲に対応するフレキシブルプリント回路１１０の部分、及び第１の垂直な折り目１９０に結合される。固定表面１９５及び固定表面２００は、プリント回路基板１２０の平面に対して垂直な平面内にある。
【００８５】
第１の垂直な折り目１９０は、固定表面２００と、旋回キャリッジモジュール１４５に対するフレキシブルプリント回路１１０の固定表面１６５との間にある。
【００８６】
固定表面１６５は、プリント回路基板１２０の平面に対して平行な平面内にある。固定表面１６５は、フレキシブルプリント回路１１０の高さに対して平行な軸に従って、端部１７５に向かう方向へと四分円を形成する。固定表面１６５は、第１の垂直な折り目１９０を、第１の部分的に円形の屈曲部１３５の運動範囲に対応するフレキシブルプリント回路の部分に、結合する。
【００８７】
第１の部分的に円形の屈曲部１３５の運動範囲は、電子コネクタ１０５に結合されたフレキシブルプリント回路１１０の端部１８０で終了する。
【図１】
2018526766.tif 000003
【図２】
2018526766.tif 000004
【図３】
2018526766.tif 000005
【図４】
2018526766.tif 000006
【図５】
2018526766.tif 000007
【図６】
2018526766.tif 000008
【図７】
2018526766.tif 000009
【国際調査報告】
2018526766.tif 000010
2018526766.tif 000011